(57)【要約】【課題】ソケットを大形化することなく端子台機能を一体化できるとともに、ソケットの設計の自由度を高くできるソケットを提供する。【解決手段】ソケット22は、ソケット本体30、電源端子部41および複数のピン受端子部40を備える。ソケット本体30は、中央にランプ装置の突出部が挿通される挿通口35が設けられ、ランプ装置が回動により装着される。電源端子部41は、ソケット本体30の周辺部に設けられ、電源端子32が配設されているとともに、電源端子32に電気的に接続される電線44が所定の挿入方向Ｐから挿入される。ピン受端子部40は、ランプ装置の電極ピンが電気的に接続されるピン受端子31がそれぞれ配設され、電源端子部41への電線44の挿入方向Ｐに沿った延長線上に対して異なるソケット本体30の周辺部の領域に設けられる。【選択図】図１
2016181432.tif 000002
【特許請求の範囲】
【請求項１】
中央にランプ装置の突出部が挿通される挿通口が設けられ、前記ランプ装置が回動により装着されるソケット本体と；
前記ソケット本体の周辺部に設けられ、電源端子が配設されているとともに、この電源端子に電気的に接続される電線が所定の挿入方向から挿入される電源端子部と；
前記ランプ装置の電極ピンが電気的に接続されるピン受端子がそれぞれ配設され、前記電源端子部への前記電線の挿入方向に沿った延長線上に対して異なる前記ソケット本体の周辺部の領域に設けられた複数のピン受端子部と；
を具備することを特徴とするソケット。
【請求項２】
前記電源端子部は、一対の前記電線をそれぞれ電気的に接続する一対の前記電源端子を備えている
ことを特徴とする請求項１記載のソケット。
【請求項３】
前記電源端子部は、電源入力用と電源送り用とが一体に設けられている
ことを特徴とする請求項１記載のソケット。
【請求項４】
前記電源端子部は、電源入力用と電源送り用とに分けて設けられている
ことを特徴とする請求項１記載のソケット。
【請求項５】
前記電源端子部と前記ピン受端子部とは、前記ソケット本体の径方向に並んで設けられている
ことを特徴とする請求項１記載のソケット。
【請求項６】
前記電源端子部と前記ピン受端子部とは、前記ソケット本体の高さ方向に並んで設けられている
ことを特徴とする請求項１記載のソケット。
【請求項７】
前記ソケット本体の周辺部に切欠部が形成され、この切欠部に前記電源端子部が設けられている
ことを特徴とする請求項１記載のソケット。
【請求項８】
器具本体と；
前記器具本体に配設される請求項１記載のソケットと；
を具備することを特徴とする照明装置。
【発明の詳細な説明】
【技術分野】
【０００１】
本発明の実施形態は、ソケットおよびこのソケットを備えた照明装置に関する。
【背景技術】
【０００２】
従来、例えばＧＸ５３形口金、ＧＨ７６ｐ形口金およびＧＨ６９ｈ形口金等の口金を用いたフラット形のランプ装置を用いるダウンライト等の照明装置がある。
【０００３】
この照明装置では、ランプ装置を装着するためのソケットと、このソケットおよびこのソケットに装着されたランプ装置を収容する反射体とを備えている。さらに、外部に端子台を配設し、この端子台に電源を供給する電線が接続される。
【０００４】
照明装置における部品点数の削減に対応して、端子台を削除し、ソケットに端子台機能を一体化しようとする場合、ソケットが大形化しやすく、ソケットの設計の自由度が損なわれやすい。
【先行技術文献】
【特許文献】
【０００５】
【特許文献１】特許第５３４４０９２号公報
【発明の概要】
【発明が解決しようとする課題】
【０００６】
本発明が解決しようとする課題は、ソケットを大形化することなく端子台機能を一体化できるとともに、ソケットの設計の自由度を高くできるソケットおよび照明装置を提供することである。
【課題を解決するための手段】
【０００７】
実施形態のソケットは、ソケット本体、電源端子部および複数のピン受端子部を備える。ソケット本体は、中央にランプ装置の突出部が挿通される挿通口が設けられ、ランプ装置が回動により装着される。電源端子部は、ソケット本体の周辺部に設けられ、電源端子が配設されているとともに、電源端子に電気的に接続される電線が所定の挿入方向から挿入される。ピン受端子部は、ランプ装置の電極ピンが電気的に接続されるピン受端子がそれぞれ配設され、電源端子部への電線の挿入方向に沿った延長線上に対して異なるソケット本体の周辺部の領域に設けられる。
【発明の効果】
【０００８】
本発明によれば、ソケットを大形化することなくソケットに端子台機能を一体化できるとともに、ソケットの設計の自由度を高くすることが期待できる。
【図面の簡単な説明】
【０００９】
【図１】第１の実施形態を示すソケットの底面図である。
【図２】同上ソケットを用いた照明装置の側面図である。
【図３】第２の実施形態を示すソケットの側面図である。
【図４】第３の実施形態を示すソケットの底面図である。
【図５】第４の実施形態を示すソケットの底面図である。
【図６】同上ソケットの側面図である。
【図７】第５の実施形態を示すソケットの底面図である。
【図８】同上ソケットの側面図である。
【図９】第６の実施形態を示すソケットの底面図である。
【図１０】同上ソケットの側面図である。
【図１１】第７の実施形態を示すソケットの側面図である。
【図１２】第８の実施形態を示すソケットの底面図である。
【発明を実施するための形態】
【００１０】
以下、第１の実施形態を、図１および図２を参照して説明する。
【００１１】
図２に示すように、照明装置10は、例えばダウンライト等の天井埋込形照明装置である。照明装置10は、光源としてランプ装置11が用いられる。
【００１２】
ランプ装置11は、筐体12、筐体12の下面側に配設される発光部13、この発光部13を覆う透光カバー14、筐体12の上面側に配設される例えばＧＸ５３形の口金15、および口金15と筐体12との間に収容される電源回路16等を備えている。口金15は、上面中央に円筒状の突出部17が突設され、この突出部17の周面に略Ｌ字形のキー溝18が形成されている。口金15の上面周辺部で突出部17の側方に一対の電極ピン19が突設されている。電極ピン19は、ピン部19aの先端に径大部19bを有する断面Ｔ字形に形成されている。
【００１３】
そして、照明装置10は、天板21、この天板21にそれぞれ取り付けられたソケット22および反射体23を備えている。
【００１４】
天板21は、例えば金属板によって平板状に形成されている。
【００１５】
また、ソケット22は、ソケット本体30、一対のピン受端子31、および一対の電源端子32を備えている。
【００１６】
ソケット本体30は、絶縁性を有する樹脂材料によって円環状に形成されている。ソケット本体30の中央には、ランプ装置11の突出部17が挿通される挿通口35が形成されている。挿通口35の内周面には、突出部17のキー溝18が係合するキー36が突設されている。
【００１７】
ソケット本体30の表面である下面には、ソケット本体30の中心に対して対称となる位置に、一対の電極ピン挿入孔39が形成されている。電極ピン挿入孔39は、周方向の一端側に電極ピン19の径大部19bが挿通可能な孔部39aが形成されているとともにこの孔部39aから周方向の他端側に向けて電極ピン19のピン部19aが移動可能な溝部39bが形成されている。
【００１８】
ソケット本体30の周辺部上には、一対のピン受端子部40および電源端子部41がそれぞれ形成されている。
【００１９】
一対のピン受端子部40は、ソケット本体30の中心に対して対称となる位置であって、一対の電極ピン挿入孔39上に設けられている。ピン受端子部40はソケット本体30の径方向に対して直交する方向に長く形成され、ピン受端子部40の内部にはピン受端子31を収容するとともに電極ピン挿入孔39が連通する端子収容空間42が形成されている。
【００２０】
電源端子部41は、一対のピン受端子部40とは直交するソケット本体30の周辺部上の領域に設けられている。電源端子部41の内部には、電源端子32を収容する端子収容空間43が形成されている。電源端子部41の径方向の外側面には、電源端子32に電気的に接続される電線44が所定の挿入方向Ｐである外径方向から挿入される一対の電線挿入孔45が形成されている。電線挿入孔45は、横方向（水平方向）に２つ並設されている。電線44は、電線44としての２本の絶縁被覆電線44aを絶縁外皮44bで覆った例えばＦケーブル（ＶＶＦケーブル）が用いられている。
【００２１】
そして、一対のピン受端子部40は、電源端子部41への電線44の挿入方向Ｐに沿った延長線上に対して異なるソケット本体30の周辺部の領域に設けられている。
【００２２】
ピン受端子31は、導電性を有する板ばね材によって形成されている。ピン受端子31には、電極ピン挿入孔39に挿入されて溝部39b上に移動する電極ピン19の径大部19bに電気的に接続されるとともに、電極ピン19の径大部19bを溝部39b上に保持する電極ピン接続部47が設けられている。
【００２３】
電源端子32は、導電性を有する板ばね材によって形成されている。一対の電源端子32は、電源端子部41内で各電線挿入孔45の内側にそれぞれ絶縁された状態に配設されている。電源端子32には、電線挿入孔45から電源端子32に挿入された電線44に電気的に接続されるとともに電線44を係止して抜け止めする鎖錠部48が形成されている。
【００２４】
そして、一方のピン受端子31と一方の電源端子32とが電気的に接続されているとともに、他方のピン受端子31と他方の電源端子32とが電気的に接続されている。ピン受端子31と電源端子32とを電気的に接続するには、ピン受端子31と電源端子32とを一体に形成したり、ピン受端子31と電源端子32とを電気的に接続する別体の導電板あるいは電線を用いることができる。
【００２５】
また、反射体23は、例えば金属材料や樹脂材料によって形成されている。反射体23は、上下面が開口され、上部側から下部側にかけて拡径する円筒状に形成されている。反射体23の上部が天板21に取り付けられている。反射体23の下面には、照射開口23aが形成されている。
【００２６】
そして、照明装置10を設置する際には、給電用の一対の電線44を、電源端子部41の一対の電線挿入孔45にそれぞれ挿入し、一対の電源端子32に電気的に接続する。
【００２７】
また、照明装置10にランプ装置11を装着するには、突出部17をソケット22の挿通口35に挿入するとともに電極ピン19をソケット22の電極ピン挿入孔39の孔部39aに挿入し、ランプ装置11を所定の装着方向に回動させることにより、電極ピン19が電極ピン挿入孔39の溝部39bに移動し、電極ピン19の径大部19bがピン受端子31に電気的に接続されるとともに、突出部17のキー溝18がソケット22のキー36に引っ掛かってランプ装置11がソケット22に支持される。
【００２８】
また、電線44を通じて電源が供給されると、電源が電源端子32およびピン受端子31を通じてランプ装置11の電極ピン19から電源回路16に供給され、発光部13が発光し、発光部13からの光が反射体23の照射開口23aから下方へ照射される。
【００２９】
そして、本実施形態のソケット22の構成では、一対のピン受端子部40は、電源端子部41への電線44の挿入方向Ｐに沿った延長線上に対して異なるソケット本体30の周辺部の領域に設けられているため、ソケット22を大形化することなくソケット22に端子台機能を一体化でき、端子台を削減して部品点数を削減できるとともに、ソケット22の設計の自由度を高くすることができる。
【００３０】
また、１つの電源端子部41に一対の電源端子32を配設しているため、電線44を大きく二股に分けることなく１つの電源端子部41に挿入して一対の電源端子32にそれぞれ接続することができ、電源端子部41に接続する際の電線44の処理を容易にできる。
【００３１】
なお、電源端子部41の径方向に対して直交する側面に電線挿入孔45を設けてもよい。
【００３２】
次に、図３に第２の実施形態を示す。なお、第１の実施形態と同じ構成については同じ符号を用い、その構成および作用効果の説明を省略する。
【００３３】
第１の実施形態のソケット22において、他の照明装置10に電源を供給する送り配線に対応したものである。
【００３４】
ソケット22は、電源入力用と電源送り用とが一体に形成された電源端子部41を備える。電源端子部41には４つの電線挿入孔45が形成され、下側２つの電源挿入孔45が電源入力用、上側２つの電線挿入孔45が送り配線用となっているか、またはその逆となっている。
【００３５】
電源端子32は、電源端子部41の上下２つの電線挿入孔45の位置に対応して、電源端子部41内に上下２つ配設されるとともに互いに電気的に接続されているか、上下２つの鎖錠部48を有する一体構造に形成されて電源端子部41内に配設されている。
【００３６】
そして、このソケット22は、簡単な構造で、送り配線に対応できる。
【００３７】
なお、電源端子部41の径方向に対して直交する側面に電線挿入孔45を設けてもよい。また、電源端子部41の径方向に対して直交する側面の一方に一対の電源入力用の電線挿入孔45を設け、他方に一対の電源送り用の電線挿入孔45を設けてよい。
【００３８】
次に、図４に第３の実施形態を示す。なお、前記実施形態と同じ構成については同じ符号を用い、その構成および作用効果の説明を省略する。
【００３９】
第１の実施形態のソケット22において、他の照明装置10に電源を供給する送り配線に対応したものである。
【００４０】
ソケット22は、電源入力用の電源端子部41とは別に、送り配線用の電源端子部41を備える。すなわち、一対の電源端子部41を備え、これら一対の電源端子部41は、ソケット本体30の中心に対して対称位置で、一対のピン受端子部40とは直交するソケット本体30の周辺部の領域に設けられている。さらに、電源入力用の電源端子部41と送り配線用の電源端子部41とは、ソケット本体30の中心に対して対称構造に形成されている。
【００４１】
照明装置10の施工時には、電源入力用の電線44を電源入力用の電源端子部41に挿入して電源端子32に電気的に接続し、送り配線用の電線44を送り配線用の電源端子部41に挿入して電源端子32に電気的に接続する。
【００４２】
そして、このソケット22は、ソケット22の高さを増加させることなく、送り配線に対応できる。また、電源入力用の電源端子部41と送り配線用の電源端子部41とが分かれるにより、電源入力用の電線44および送り配線用の電線44の配線によっては、これら電線44の取り回しや配線作業が向上できる。
【００４３】
次に、図５および図６に第４の実施形態を示す。なお、前記実施形態と同じ構成については同じ符号を用い、その構成および作用効果の説明を省略する。
【００４４】
ソケット22は、一対のピン受端子部40の外径側に並んで一対の電源端子部41が配設されている。ソケット本体30の径方向に対して直交する一対の電源端子部41の端面に電線挿入孔45が１つずつ設けられているとともに、一対の電源端子部41内に電源端子32が１つずつ配設されている。
【００４５】
この場合にも、一対のピン受端子部40は、一対の電源端子部41への一対の電線44の挿入方向Ｐに沿った延長線上に対して異なるソケット本体30の周辺部の領域に設けられている。
【００４６】
そして、このソケット22は、ピン受端子部40と電源端子部41とがソケット本体30の径方向に並んで設けられていることにより、ピン受端子31と電源端子32とを近傍に配置でき、ピン受端子31と電源端子32との間の電気的な接続を簡素化および小形化することができる。
【００４７】
次に、図７および図８に第５の実施形態を示す。なお、前記実施形態と同じ構成については同じ符号を用い、その構成および作用効果の説明を省略する。
【００４８】
第４の実施形態のソケット22において、他の照明装置10に電源を供給する送り配線に対応したものである。
【００４９】
ソケット22は、一対のピン受端子部40の高さ方向に並んで一対の電源端子部41が配設されている。ピン受端子部40の上側に電源端子部41が配設されている。一対の電源端子部41の径方向の外側面に一対の電線挿入孔45がそれぞれ設けられ、一対の電源端子部41内に一対の電源端子32がそれぞれ配設されている。一対の電源端子部41の一方が電源入力用、他方が送り配線用である。一対の電源端子部41は、ソケット本体30の中心に対して対称構造に形成されている。
【００５０】
この場合にも、ピン受端子部40と電源端子部41とが設けられる高さ位置が異なるため、一対のピン受端子部40は、一対の電源端子部41への一対の電線44の挿入方向Ｐに沿った延長線上に対して異なるソケット本体30の周辺部の領域に設けられている。
【００５１】
そして、このソケット22は、ピン受端子部40と電源端子部41とがソケット本体30の高さ方向に並んで設けられていることにより、ピン受端子31と電源端子32とを近傍に配置でき、ピン受端子31と電源端子32との間の電気的な接続を簡素化および小形化することができる。
【００５２】
なお、電源端子部41の径方向に対して直交する側面に電線挿入孔45を設けてもよい。
【００５３】
次に、図９および図１０に第６の実施形態を示す。なお、前記実施形態と同じ構成については同じ符号を用い、その構成および作用効果の説明を省略する。
【００５４】
ソケット本体30の周辺部に一対の切欠部51が形成されている。一対の切欠部51は、ソケット本体30の一対のピン受端子部40が設けられた領域に対して直交する領域に設けられている。
【００５５】
ソケット本体30の一方の切欠部51に電源端子部41が配設されている。電源端子部41の径方向の外端面に一対の電線挿入孔45が設けられ、電源端子部41内に一対の電源端子32が配設されている。
【００５６】
そして、ソケット22は、ソケット本体30の切欠部51に電源端子部41を設けることにより、ソケット本体30の厚み分だけでも電源端子部41の構成に割り当て、ソケット本体30の高さ方向の寸法を小さく抑えることができる。
【００５７】
なお、電源端子部41の径方向に対して直交する側面に電線挿入孔45を設けてもよい。
【００５８】
次に、図１１に第７の実施形態を示す。なお、前記実施形態と同じ構成については同じ符号を用い、その構成および作用効果の説明を省略する。
【００５９】
第６の実施形態のソケット22において、他の照明装置10に電源を供給する送り配線に対応したものである。
【００６０】
ソケット22は、電源入力用と電源送り用とが一体に形成された電源端子部41を備える。電源端子部41には４つの電線挿入孔45が形成され、下側２つの電源挿入孔45が電源入力用、上側２つの電線挿入孔45が送り配線用となっているか、またはその逆となっている。
【００６１】
電源端子32は、電源端子部41の上下２つの電線挿入孔45の位置に対応して、電源端子部41内に上下２つ配設されるとともに互いに電気的に接続されているか、上下２つの鎖錠部48を有する一体構造に形成されて電源端子部41内に配設されている。
【００６２】
そして、このソケット22は、簡単な構造で、送り配線に対応できる。
【００６３】
なお、電源端子部41の径方向に対して直交する側面に電線挿入孔45を設けてもよい。
【００６４】
次に、図１２に第８の実施形態を示す。なお、前記実施形態と同じ構成については同じ符号を用い、その構成および作用効果の説明を省略する。
【００６５】
第６の実施形態のソケット22において、他の照明装置10に電源を供給する送り配線に対応したものである。
【００６６】
ソケット22は、電源入力用の電源端子部41とは別に、送り配線用の電源端子部41を備える。すなわち、一対の電源端子部41を備え、これら一対の電源端子部41は、ソケット本体30の両側の切欠部51に設けられている。これら電源入力用の電源端子部41と送り配線用の電源端子部41とは、ソケット本体30の中心に対して対称構造に形成されている。
【００６７】
照明装置10の施工時には、電源入力用の電線44を電源入力用の電源端子部41に挿入して電源端子32に電気的に接続し、送り配線用の電線44を送り配線用の電源端子部41に挿入して電源端子32に電気的に接続する。
【００６８】
そして、このソケット22は、ソケット22の高さを増加させることなく、送り配線に対応できる。また、電源入力用の電源端子部41と送り配線用の電源端子部41とが分かれるにより、電源入力用の電線44および送り配線用の電線44の配線によっては、これら電線44の取り回しや配線作業が向上できる。
【００６９】
なお、電源端子部41の径方向に対して直交する側面に電線挿入孔45を設けてもよい。
【００７０】
また、ランプ装置11およびソケット22は、ＧＸ５３形口金に対応したものに限らず、ＧＨ７６ｐ形口金やＧＨ６９ｈ形口金に対応したものでもよい。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
10    照明装置
11    ランプ装置
17    突出部
19    電極ピン
22    ソケット
30    ソケット本体
31    ピン受端子
32    電源端子
35    挿通口
40    ピン受端子部
41    電源端子部
44    電線
51    切欠部
Ｐ    挿入方向
【図１】
2016181432.tif 000003
【図２】
2016181432.tif 000004
【図３】
2016181432.tif 000005
【図４】
2016181432.tif 000006
【図５】
2016181432.tif 000007
【図６】
2016181432.tif 000008
【図７】
2016181432.tif 000009
【図８】
2016181432.tif 000010
【図９】
2016181432.tif 000011
【図１０】
2016181432.tif 000012
【図１１】
2016181432.tif 000013
【図１２】
2016181432.tif 000014